(57)【要約】    【課題】  曲げストレスに弱い連続紙、特にＲＦＩＤ用アンテナ及びＩＣチップで形成されるインレットを内層した連続状ＲＦＩＤタグにとって良好な巻取りを可能とした連続紙の巻取り装置を提供することを課題とする。        【解決手段】  印字済みの連続紙を巻き取るための巻取り軸と、この巻取り軸を回転駆動する駆動部と、この巻取り軸の上流側においてこの連続紙に当接し、この連続紙の巻取りにともなって所定のテンションを付与するテンションローラと、を有する巻取り装置であって、  前記テンションローラが往復動可能な前記巻取り装置のハウジングの外側面に形成された円弧状スリットと、前記円弧状スリットの任意の位置で規制可能な規制部材と、前記規制部材によって規制した前記テンションローラの往復動可能範囲の最下部を検出可能な検出部材と、を有することを特徴とする巻取り装置。  【選択図】        図２
2006151652.tif 000002
【特許請求の範囲】
【請求項１】
印字済みの連続紙を巻き取るための巻取り軸と、
この巻取り軸を回転駆動する駆動部と、
この巻取り軸の上流側においてこの連続紙に当接し、この連続紙の巻取りにともなって所定のテンションを付与するテンションローラと、を有する巻取り装置であって、
前記テンションローラが往復動可能な前記巻取り装置のハウジングの外側面に形成された円弧状スリットと、
前記円弧状スリットの任意の位置で規制可能な規制部材と、
前記規制部材によって規制した前記テンションローラの往復動可能範囲の最下部を検出可能な検出部材と、を有することを特徴とする巻取り装置。
【請求項２】
前記規制部材は、硬質弾性体からなることを特徴とする請求項1記載の巻取り装置。
【請求項３】
前記テンションローラは、前記ハウジングの内側面にアーム軸を支軸として揺動するテンションアームの先端に前記円弧状スリットを貫通して配設されていることを特徴とする請求項１又は請求項２記載の巻取り装置。
【発明の詳細な説明】
【技術分野】
【０００１】
本発明はプリンタから排出される連続紙（帯状台紙にラベル片が略等間隔に仮着されたラベル連続体、帯状台紙と略等間隔に仮着されたラベル片との中間層にＲＦＩＤ用インレットを内層した連続状ＲＦＩＤタグ等）にテンションを付与しながら巻き取るテンションローラを備えた巻取り装置に係るもので、特に曲げストレス（応力）に弱い連続紙を巻き取る巻取り装置に関する。
【背景技術】
【０００２】
従来のテンションローラを備えて連続紙を巻き取る巻取り装置、特にプリンタにより印字発行された連続紙を巻き取るテンションローラを備えた巻取り装置は、プリンタにより印字済みの連続紙を巻き取る巻取り軸と、この巻取り軸を駆動する駆動部と、この巻取り軸の上流側でこの連続紙に当接するテンションローラと、を有する。
【０００３】
テンションローラは、プリンタからの排出及び巻取りにともなって連続紙に接触しながら所定の範囲を往復動して、連続紙のたわみを吸収するように連続紙にテンション（張力）を付与して、巻取り軸への巻取りの強さを安定化するものである。
【０００４】
こうした巻取り装置におけるテンションローラの往復動可能範囲は、通常固定されており、その範囲内の最上部と最下部を往復動して連続紙にテンションを付与しながら巻き取る構成となっている。
【０００５】
このような構成の巻取り装置では、前記テンションローラが最下部に達したときには連続紙の巻取り経路にかなりの角度がつくため、曲げストレスに弱い連続紙、特にＲＦＩＤ用アンテナ及びＩＣチップから構成されるインレットを内層した連続状ＲＦＩＤ用タグでは、アンテナが折れ曲がったり、アンテナとＩＣチップとの接合部分が離反するなどの不具合が推察される。
【０００６】
また、帯状台紙に略等間隔にラベル片が仮着されたラベル連続体においては、前記ラベル片を仮着する粘着剤に弱粘着剤が使用された場合には、前記巻取り経路に角度がつきすぎることによってラベル剥れをおこすなどの不具合が推察される。
【０００７】
【特許文献１】実開平０２−６１８６２号公報
【発明の開示】
【発明が解決しようとする課題】
【０００８】
本発明は以上のような諸問題に鑑みなされたもので、曲げストレスに弱い連続紙、特にＲＦＩＤ用アンテナ及びＩＣチップで形成されるインレットを内層した連続状ＲＦＩＤタグにとって良好な巻取りを可能とした連続紙の巻取り装置を提供することを課題とする。
【０００９】
また、弱粘着剤によって帯状台紙に略等間隔に仮着されたラベル片で構成された連続紙におけるラベル片のラベル剥れを防止する巻取り装置を提供することを課題とする。
【課題を解決するための手段】
【００１０】
すなわち本発明は、連続紙にテンションを与えながら巻き取る巻取り経路に大きな角度がつかないようにするために、テンションローラの可動範囲を任意の位置に規制可能な規制部材を備えることに着目したもので、
第一の発明は、印字済みの連続紙を巻き取るための巻取り軸と、
この巻取り軸を回転駆動する駆動部と、
この巻取り軸の上流側においてこの連続紙に当接し、この連続紙の巻取りにともなって所定のテンションを付与するテンションローラと、を有する巻取り装置であって、
前記テンションローラが往復動可能な前記巻取り装置のハウジングの外側面に形成された円弧状スリットと、
前記円弧状スリットの任意の位置で規制可能な規制部材と、
前記規制部材によって規制した前記テンションローラの往復動可能範囲の最下部を検出可能な検出部材と、を有することを特徴とする巻取り装置。
【００１１】
第二の発明は、前記規制部材は、硬質弾性体からなることを特徴とする請求項1記載の巻取り装置である。
【００１２】
第三の発明は、前記テンションローラは、前記ハウジングの内側面にアーム軸を一端とする支軸として揺動するテンションアームの先端に前記円弧状スリットを貫通して配設されていることを特徴とする請求項１又は請求項２記載の巻取り装置である。            
【発明の効果】
【００１３】
本発明による連続紙にテンションを与えながら巻き取るテンションローラを備えた巻取り装置においては、連続紙の巻取り経路に大きな角度がつかないように、テンションローラの可動範囲を規制する円弧状スリットに係止された規制部材を容易に移動可能として、曲げストレスに弱い連続紙や弱粘着で仮着されたラベル連続体にとって良好な巻取り装置を提供することが可能である。
【発明を実施するための最良の形態】
【００１４】
本発明は、テンションを与えながら連続紙を巻き取るテンションローラを備えた巻取り装置の巻取り経路に大きな角度がつかないように、テンションローラの往復動可能範囲を任意の位置に変更可能としたため、曲げストレスに弱い連続紙でも良好な巻取りができる巻取り装置を実現した。
【実施例】
【００１５】
つぎに本発明の実施例による巻取り装置１を図１乃至図３に基づき説明する。
図１は、本発明の実施例による巻取り装置１を説明するための概略斜視図であって、図２は、本発明の規制部材によって規制されるテンションローラ８の動きを示す模式図であって、図３は、曲げストレスに弱い連続紙（ＲＦＩＤインレットを内層した連続状ＲＦＩＤタグ）である。
【００１６】
本発明の巻取り装置１は、連続紙２の巻取り経路を案内する第１のガイドローラ４と第２のガイドローラ５と、前記第１のガイドローラ４と前記第２のガイドローラ５との間で前記連続紙２に上方から当接する前記テンションアーム９の先端部に配設されたテンションローラ８と、前記連続紙２を巻き取るための巻取り軸６と、前記巻取り装置１のハウジングに鉛直な外側面１３に前記テンションローラ８の軌道に沿って形成された円弧状スリット１０と、前記テンションローラ８の移動範囲を規制する規制部材（係止部材）１１と、前記テンションローラ８の前記移動範囲の最下部を検出する検出部材１２と、前記移動範囲の最上部を検出する検出部材１７と、を有する。
ここで、最下部とは、前記規制部材１１の移動に伴う前記テンションローラ８の移動可能範囲の最下点をいう。
【００１７】
前記テンションローラ８は、前記ハウジングの外側面１３内部の所定の位置にアーム軸７を一端とする支軸として揺動する前記テンションアーム９の他端に配設されているとともに、前記ハウジングの外側面１３に形成された前記円弧状スリット１０を貫通して巻取り経路に垂直に交差するように配設されている。
また、前記テンションローラ８は、自重あるいは引っ張りバネによって円弧状スリット１０内で下方に付勢され、上方から当接して連続紙２に所定のテンションを付与可能とする。
図２に実線で示すテンションローラ８は、実線で示した規制部材１１に接して、前記テンションローラ８の往復動可能範囲の最下部を示し、その上方に位置する一点鎖線で示すテンションローラ８は、一点鎖線で示す規制部材１１によって、その往復動可能範囲を変更された最下部を示す。
【００１８】
このように前記規制部材（係止部材）１１は、前記円弧状スリット１０の任意の位置で前記テンションアーム９を規制して、前記テンションローラ８の往復動可能範囲を変更可能として、前記第１のガイドローラ４と前記第２のガイドローラ５との間で上方から往復動可能に当接することによって形成される前記連続紙２の巻取り経路の角度を容易に変更可能とする。
前記テンションアーム８の往復動可能範囲の最下部をできるだけ前記円弧状スリット１０の上方で規制するようにすることにより前記連続紙２の巻取り経路は角度が付かないように設定可能となる。
【００１９】
また、前記規制部材１１は、前記円弧状スリット１０をエ字状（前記円弧状スリット１０の幅方向両端部をコ字状及び逆コ字状）に係止可能な硬質弾性体、例えば硬質ゴムから成り、手動で容易に移動可能とする。
【００２０】
また、前記検出部材（最下部検出センサー）１２は、前記規制部材１１の移動に応じて移動可能に設けられ、前記規制部材１１の移動に伴う前記テンションローラ８の往復動可能範囲の最下部を検出可能とし、例えばマイクロスイッチからなる。
【００２１】
また、前記テンションローラ８の前記移動範囲の最上部を検出する検出部材１７を有する。
【００２２】
前記テンションローラ８は、プリンタによる印字後に排出される前記連続紙２の排出速度と前記巻取り装置１による巻取り速度との差異を前記テンションローラ８の往復動によって吸収する。
【００２３】
前記テンションローラ８が移動範囲内の最上部に達したときには、前記最上部を検出する検出部材（最上部検出センサー）１７によって検出され、前記巻取り軸６を駆動する駆動部、例えば巻取りモーターをＯＦＦとして、前記プリンタからの前記連続紙２の排出によってテンションに余裕ができるように制御する。
【００２４】
前記プリンタから前記連続紙２の排出に応じて前記テンションローラ８は下降し、その可動範囲の最下部に達したときに前記マイクロスイッチ１２のスイッチをオンとして、前記巻取りモーターを駆動して再度巻取りを始める。
【００２５】
本発明における巻取り装置１の連続紙２は、種々の形態の連続紙であるラベル連続体やＲＦＩＤタグやロール状のタグ等に対応可能ではあるが、ＩＣチップ１６とコイル状アンテナ部１５から形成されるＲＦＩＤ用インレットを中間層に組み込んだＲＦＩＤ用タグでは、曲げストレスに弱いため、前記テンションローラ８の移動範囲を規制する規制部材１１の最下部の位置を上方に引き上げることによって巻取り経路に角度のつかない良好な巻き取りを可能とする。
【００２６】
また、弱粘着剤によって仮着された連続紙２（ラベル連続体）においては、前記テンションローラ８の往復動によって、前記第１のガイドローラ４と前記第２のガイドローラ５とによって形成される巻取り経路に角度がつきすぎると、前記テンションローラ８が剥離バーの役割を担い、前記帯状台紙１４が反転方向に引っ張られ、前記ラベル片３の腰が前記帯状台紙１４との粘着に勝ることとなり前記帯状台紙１４から前記ラベル片３が剥れるということがあるが、前記巻取り経路に角度がつかない位置に規制部材１１を設定可能としたため良好な巻取りが可能となる。
【図面の簡単な説明】
【００２７】
【図１】本発明の実施例による巻取り装置を説明するための概略斜視図である。
【図２】同、本発明の規制部材によって規制されるテンションローラ８の動きを示す模式図である。
【図３】同、曲げストレスに弱い連続紙（ＲＦＩＤ用インレットを内装した連続紙）である。
【符号の説明】
【００２８】
１  巻取り装置
２  連続紙
３  ラベル片
４  第１のガイドローラ
５  第２のガイドローラ
６  巻取り軸
７  アーム軸
８  テンションローラ
９  テンションアーム
１０  円弧状スリット
１１  規制部材（係止部材）
１２  最下部検出部材（マイクロスイッチ）
１３  ハウジングの外側面
１４  帯状台紙        
１５  アンテナ部
１６  ＩＣチップ
１７  最上部検出部材（マイクロスイッチ）
【図１】
2006151652.tif 000003
【図２】
2006151652.tif 000004
【図３】
2006151652.tif 000005